(57)【要約】      （修正有）【課題】円周方向に正確に定位でき、弛めるおそれがない自転車ハンドル固定構造を提供する。【解決手段】ハンドルパイプ１０に嵌設されるハンドルグリップ１と、ハンドルグリップの外側を緊密にハンドルパイプに螺着するＣ文字状リング３０と、内壁面と外壁面を有する蓋壁があり、内壁面において、所定の箇所に少なくとも一つの係止シート４２が突出し、係止シートに外側係止面と内側係止面が形成され、係止シートがリングとハンドルパイプの外周壁との間に位置する時、その外側係止面４２１と内側係止面４２２とが、それぞれ外側リング３０と内側ハンドルパイプ１０の外周壁によって係止されて固定されるエンド蓋４０とが含有され、エンド蓋は緊密にハンドルグリップの外側に固定される。【選択図】図２
0003135678.tif 000002
【実用新案登録請求の範囲】
【請求項１】
ハンドルパイプと、該ハンドルパイプに嵌設されるハンドルグリップと、該ハンドルグリップの外側を緊密にハンドルパイプに螺着するＣ文字状リングと、内壁面と外壁面を有する蓋壁があり、該内壁面において、所定の箇所に、少なくとも一つの係止シートが突出し、該係止シートに、外側係止面と内側係止面が形成され、該係止シートが、リングとハンドルパイプの外周壁との間に位置する時、その外側係止面と内側係止面とが、それぞれ、外側リングと内側ハンドルパイプの外周壁によって係止されて固定されるエンド蓋とが含有されることを特徴とする自転車ハンドル固定構造。
【請求項２】
該リング内周壁に、該エンド蓋の係止シートが嵌設されるための少なくとも一つの欠け口が設けられ、また、該係止シートの外側係止面が、対応する欠け口の底壁面に抵当し、その内側係止面が、欠け口の開口を通して、対応するハンドルパイプの外周壁に抵当することを特徴とする請求項１に記載の自転車ハンドル固定構造。
【請求項３】
該リングの軸方向に貫通するように形成された欠け口の内側に、ハンドルグリップの外側壁から突出する少なくとも一つの突出が嵌設されて定位され、該欠け口外側に、該エンド蓋の係止シートが嵌設されて定位されることを特徴とする請求項２に記載の自転車ハンドル固定構造。
【請求項４】
該リングの軸方向に貫通するように形成された欠け口に、ハンドルグリップの外側壁から突出する少なくとも一つの突出が嵌設されて定位され、該突出の外側に、該エンド蓋の係止シートが嵌設されて定位されるための欠け口が設けられることを特徴とする請求項２に記載の自転車ハンドル固定構造。
【請求項５】
該リングの内周壁に、二つの対称する欠け口が設けられ、また、該エンド蓋に、対応するように、二つの対称する係止シートが設置されることを特徴とする請求項２に記載の自転車ハンドル固定構造。
【請求項６】
該ハンドルグリップのリング状の外側壁に、少なくとも一つの円周方向に延ばす円弧状突出が形成され、該円弧状突出と、ハンドルグリップ内の孔壁とが、第１の径方向幅を間置き、該リングの対向側に位置するC形状端面に、少なくとも一つの円周方向に延ばす円弧状凹槽が形成され、また、リングの内周面とが、ハンドルグリップの第１の径方向幅とほぼ等しい第２の径方向幅を間置き、該円弧状突出が、該円弧状凹槽に収納されるように嵌設されることを特徴とする請求項１に記載の自転車ハンドル固定構造。
【請求項７】
ハンドルパイプと、
該ハンドルパイプに嵌設されるハンドルグリップと、
該ハンドルグリップの外側を緊密にハンドルパイプに螺着するＣ文字状リングと、
内壁面と外壁面を有する蓋壁があり、該内壁面において、所定の箇所に、少なくとも一つの係止シートが突出し、該係止シートに、外側係止面と内側係止面が形成され、該係止シートが、リングとハンドルパイプの外周壁との間に位置する時、その外側係止面と内側係止面とが、それぞれ、外側リングと内側ハンドルパイプの外周壁によって係止されて固定される。エンド蓋とが含有される、
ことを特徴とする自転車ハンドル固定構造。
【請求項８】
該リング内周壁において、軸方向に、該ハンドルグリップの外側壁に対応するように形成された少なくとも一つの突出が嵌設されて定位されるための少なくとも一つの貫通する欠け口が形成され、また、該突出の径方向の内側壁に、該エンド蓋の係止シートが嵌設されて定位されるための凹槽が形成され、同時、該係止シートの外側係止面が、対応する凹槽の槽底面に抵当し、その内側係止面が、凹槽の開口を通して、対応するハンドルパイプの外周壁に抵当することを特徴とする請求項７に記載の自転車ハンドル固定構造。
【請求項９】
該リングの内周壁に、二つの対称する欠け口が形成され、該ハンドルグリップとエンド蓋に、それぞれ、対応するように二つの対称する突出と係止シートが設置されることを特徴とする請求項８に記載の自転車ハンドル固定構造。
【請求項１０】
ハンドルパイプと、
該ハンドルパイプに嵌設されるハンドルグリップと、
該ハンドルグリップの外側を緊密にハンドルパイプに螺着するＣ文字状リングと、
内壁面と外壁面を有する蓋壁があり、該内壁面において、所定の箇所に、少なくとも一つの係止シートが突出し、該係止シートに、外側係止面と内側係止面が形成され、該係止シートが、リングとハンドルパイプの外周壁との間に位置する時、その外側係止面と内側係止面とが、それぞれ、外側リングと内側ハンドルパイプの外周壁によって係止されて固定されるエンド蓋とが含有される、
ことを特徴とする自転車ハンドル固定構造。
【請求項１１】
該リングの内周壁において、軸方向に、該ハンドルグリップの外側壁の対応する少なくとも一つの突出が嵌設されて定位されるための少なくとも一つの貫通する欠け口が形成され、また、該突出の径方向の外側壁に、該エンド蓋の係止シートが嵌設されて定位されるための凹槽が形成され、また、該係止シートの内側係止面が、対応する凹槽の槽底面に抵当し、その外側係止面が、凹槽の開口を通して、対応するリングの欠け口の底壁面に抵当することを特徴とする請求項１０に記載の自転車ハンドル固定構造。
【請求項１２】
該リングの内周壁に、二つの対称する欠け口が形成され、該ハンドルグリップとエンド蓋に、それぞれ、対応するように、二つの対称する突出と係止シートが設置されることを特徴とする請求項１１に記載の自転車ハンドル固定構造。
【請求項１３】
エンド蓋が備えられる自転車ハンドル固定構造であって、
該エンド蓋に、内壁面と外壁面を有する蓋壁があり、該内壁面において、所定の箇所に、少なくとも一つの係止シートが突出し、該係止シートに、外側係止面と内側係止面が形成され、
これにより、該エンド蓋の係止シートの外側係止面と内側係止面が、それぞれ、Ｃ文字状リング及びハンドルグリップ外側とハンドルパイプ外周壁との間に位置し、ハンドルグリップの外側を封止する、
ことを特徴とする自転車ハンドル固定構造。
【請求項１４】
該エンド蓋のエンド蓋壁の周囲に、内側へ一体的に延ばす周壁があり、該周壁の内径の大きさが、リングの外部をカバーできるように、該リングの外径にほぼ等しく、該周壁において、所定の箇所に、更に、リングに対応する位置に、ツールを通してネジを螺着するための開口が形成されることを特徴とする請求項１３に記載の自転車ハンドル固定構造。
【考案の詳細な説明】
【技術分野】
【０００１】
本考案は、自転車部材に関し、特に、自転車ハンドル固定構造に関する。
【背景技術】
【０００２】
図１は、従来の自転車ハンドル固定構造であり、主として、プラスチック製ハンドルグリップ1と金属製Ｃ文字状リング2及びエンド蓋3が備えられ、該ハンドルグリップ1は、外側壁に、一般として、該リング2の内周壁の内側に位置する凹槽2aに嵌入できる二つの対称する突出1aが形成され、これにより、ハンドルグリップ1が、緊密にハンドルパイプ(図に未表示)に固定され、また、リング2の内周壁の外側に、エンド蓋3の内側に位置する突出部3aの外周壁に位置するリング状の突出3bが嵌合されて定位されるためのリング状の溝2bが設置され、そのため、封止するように、リング2に固定される。
【考案の開示】
【考案が解決しようとする課題】
【０００３】
本考案の目的は、エンド蓋の係止シートが、ハンドルグリップの外側上のＣ文字状リングとともに、少しずつ螺着されて、一緒に緊密に係合するため、より確実に組み立てることができ、また、該エンド蓋が、リングとハンドルパイプの外周壁との摩擦接触することに妨害しないため、リングの幅を増加することが必要しなく、特に、該エンド蓋が、快速的に所定の位置に実装され、また、円周方向に転動が制限され、エンド蓋の外壁面にある図柄や文字は、最も良い視覚効果と方向定位が得られる自転車ハンドル固定構造を提供する。
【課題を解決するための手段】
【０００４】
請求項１の考案は、ハンドルパイプと、該ハンドルパイプに嵌設されるハンドルグリップと、該ハンドルグリップの外側を緊密にハンドルパイプに螺着するＣ文字状リングと、内壁面と外壁面を有する蓋壁があり、該内壁面において、所定の箇所に、少なくとも一つの係止シートが突出し、該係止シートに、外側係止面と内側係止面が形成され、該係止シートが、リングとハンドルパイプの外周壁との間に位置する時、その外側係止面と内側係止面とが、それぞれ、外側リングと内側ハンドルパイプの外周壁によって係止されて固定されるエンド蓋とが含有されることを特徴とする自転車ハンドル固定構造である。
【０００５】
請求項２の考案は、該リング内周壁に、該エンド蓋の係止シートが嵌設されるための少なくとも一つの欠け口が設けられ、また、該係止シートの外側係止面が、対応する欠け口の底壁面に抵当し、その内側係止面が、欠け口の開口を通して、対応するハンドルパイプの外周壁に抵当することを特徴とする請求項１に記載の自転車ハンドル固定構造である。
【０００６】
請求項３の考案は、該リングの軸方向に貫通するように形成された欠け口の内側に、ハンドルグリップの外側壁から突出する少なくとも一つの突出が嵌設されて定位され、該欠け口外側に、該エンド蓋の係止シートが嵌設されて定位されることを特徴とする請求項２に記載の自転車ハンドル固定構造である。
【０００７】
請求項４の考案は、該リングの軸方向に貫通するように形成された欠け口に、ハンドルグリップの外側壁から突出する少なくとも一つの突出が嵌設されて定位され、該突出の外側に、該エンド蓋の係止シートが嵌設されて定位されるための欠け口が設けられることを特徴とする請求項２に記載の自転車ハンドル固定構造である。
【０００８】
請求項５の考案は、該リングの内周壁に、二つの対称する欠け口が設けられ、また、該エンド蓋に、対応するように、二つの対称する係止シートが設置されることを特徴とする請求項２に記載の自転車ハンドル固定構造である。
【０００９】
請求項６の考案は、該ハンドルグリップのリング状の外側壁に、少なくとも一つの円周方向に延ばす円弧状突出が形成され、該円弧状突出と、ハンドルグリップ内の孔壁とが、第１の径方向幅を間置き、該リングの対向側に位置するC形状端面に、少なくとも一つの円周方向に延ばす円弧状凹槽が形成され、また、リングの内周面とが、ハンドルグリップの第１の径方向幅とほぼ等しい第２の径方向幅を間置き、該円弧状突出が、該円弧状凹槽に収納されるように嵌設されることを特徴とする請求項１に記載の自転車ハンドル固定構造である。
【００１０】
請求項７の考案は、ハンドルパイプと、該ハンドルパイプに嵌設されるハンドルグリップと、該ハンドルグリップの外側を緊密にハンドルパイプに螺着するＣ文字状リングと、内壁面と外壁面を有する蓋壁があり、該内壁面において、所定の箇所に、少なくとも一つの係止シートが突出し、該係止シートに、外側係止面と内側係止面が形成され、該係止シートが、リングとハンドルパイプの外周壁との間に位置する時、その外側係止面と内側係止面とが、それぞれ、外側リングと内側ハンドルパイプの外周壁によって係止されて固定される。エンド蓋と、が含有される、ことを特徴とする自転車ハンドル固定構造である。
【００１１】
請求項８の考案は、該リング内周壁において、軸方向に、該ハンドルグリップの外側壁に対応するように形成された少なくとも一つの突出が嵌設されて定位されるための少なくとも一つの貫通する欠け口が形成され、また、該突出の径方向の内側壁に、該エンド蓋の係止シートが嵌設されて定位されるための凹槽が形成され、同時、該係止シートの外側係止面が、対応する凹槽の槽底面に抵当し、その内側係止面が、凹槽の開口を通して、対応するハンドルパイプの外周壁に抵当することを特徴とする請求項７に記載の自転車ハンドル固定構造である。
【００１２】
請求項９の考案は、該リングの内周壁に、二つの対称する欠け口が形成され、該ハンドルグリップとエンド蓋に、それぞれ、対応するように二つの対称する突出と係止シートが設置されることを特徴とする請求項８に記載の自転車ハンドル固定構造である。
【００１３】
請求項１０の考案は、ハンドルパイプと、該ハンドルパイプに嵌設されるハンドルグリップと、該ハンドルグリップの外側を緊密にハンドルパイプに螺着するＣ文字状リングと、内壁面と外壁面を有する蓋壁があり、該内壁面において、所定の箇所に、少なくとも一つの係止シートが突出し、該係止シートに、外側係止面と内側係止面が形成され、該係止シートが、リングとハンドルパイプの外周壁との間に位置する時、その外側係止面と内側係止面とが、それぞれ、外側リングと内側ハンドルパイプの外周壁によって係止されて固定されるエンド蓋と、が含有される、ことを特徴とする自転車ハンドル固定構造である。
【００１４】
請求項１１の考案は、該リングの内周壁において、軸方向に、該ハンドルグリップの外側壁の対応する少なくとも一つの突出が嵌設されて定位されるための少なくとも一つの貫通する欠け口が形成され、また、該突出の径方向の外側壁に、該エンド蓋の係止シートが嵌設されて定位されるための凹槽が形成され、また、該係止シートの内側係止面が、対応する凹槽の槽底面に抵当し、その外側係止面が、凹槽の開口を通して、対応するリングの欠け口の底壁面に抵当することを特徴とする請求項１０に記載の自転車ハンドル固定構造である。
【００１５】
請求項１２の考案は、該リングの内周壁に、二つの対称する欠け口が形成され、該ハンドルグリップとエンド蓋に、それぞれ、対応するように、二つの対称する突出と係止シートが設置されることを特徴とする請求項１１に記載の自転車ハンドル固定構造である。
【００１６】
請求項１３の考案は、エンド蓋が備えられる自転車ハンドル固定構造であって、該エンド蓋に、内壁面と外壁面を有する蓋壁があり、該内壁面において、所定の箇所に、少なくとも一つの係止シートが突出し、該係止シートに、外側係止面と内側係止面が形成され、これにより、該エンド蓋の係止シートの外側係止面と内側係止面が、それぞれ、Ｃ文字状リング及びハンドルグリップ外側とハンドルパイプ外周壁との間に位置し、ハンドルグリップの外側を封止する、ことを特徴とする自転車ハンドル固定構造である。
【００１７】
請求項１４の考案は、該エンド蓋のエンド蓋壁の周囲に、内側へ一体的に延ばす周壁があり、該周壁の内径の大きさが、リングの外部をカバーできるように、該リングの外径にほぼ等しく、該周壁において、所定の箇所に、更に、リングに対応する位置に、ツールを通してネジを螺着するための開口が形成されることを特徴とする請求項１３に記載の自転車ハンドル固定構造である。
【考案を実施するための最良の形態】
【００１８】
図２と３を参照しながら、本考案の第１の実施例は、主として、ハンドルパイプ10と、ハンドルパイプ10に嵌設されるハンドルグリップ20と、ネジ31により、ハンドルグリップ20の外側を、緊密にハンドルパイプ10に螺着するためのＣ文字状リング30と、エンド蓋40とが含有される。
【００１９】
また、図４と５を参照しながら、該ハンドルグリップ20は、リング状の外側壁21に、二つの対称する突出22が形成され、該突出22の長さが、リング30の幅にほぼ等しく、また、該突出22の径方向の内側壁221の中央位置に、外側から円弧状の凹槽222が形成される。
【００２０】
該リング30は、その内周壁32において、それぞれ、該ハンドルグリップ20の対応する突出22が嵌設されて定位されるための、軸方向に貫通して対称するように、二つの欠け口33が形成される。
【００２１】
該エンド蓋40は、内壁面411と外壁面412とを有するエンド蓋壁41があり、該内壁面411の二つの適当な位置に、対称する二つの係止シート42が係止され、これらの係止シート42は、ハンドルグリップ20の突出22上の凹槽222に対応する円弧状であり、また、径方向において、両側に、それぞれ、ハンドルグリップ20の対応する突出22上にある凹槽222に嵌設されて定位されるための外側係止面421と内側係止面422が形成され、そのため、該外側係止面421が、対応する凹槽222の槽底面に抵当し、また、内側係止面422が、凹槽222の開口を通して、対応するハンドルパイプ10の外周壁11に抵当し、そのため、ネジ31を締める時、これらの係止シート42の外側係止面421と内側係止面422は、それぞれ、外側ハンドルグリップ20の突出22とハンドルパイプ10の外周壁11により、係合されて固定され、そして、エンド蓋40が、ハンドルグリップ20の外側に固定され、また、エンド蓋壁41により封止する。
【００２２】
図２乃至５を参照しながら、本考案の第１の実施例において、エンド蓋40を組み立てる時、まず、ハンドルグリップ20を自転車のハンドルパイプ10の外周壁11に嵌設し、その後、リング30の二つの対称する欠け口33を、ハンドルグリップ20の外側の二つの突出22に合わせて、互いに嵌設することにより定位することができ、そして、エンド蓋40の二つの係止シート42を、リング30の欠け口33内の突出22の径方向の内側壁221上に位置する凹槽222に合わせて、嵌入して定位し、最後に、リング30上のネジ31を螺着すると、エンド蓋40の二つの係止シート42を、緊密に、ハンドルグリップ20の対応する突出22とハンドルパイプ10の外周壁11との間に固定でき、これにより、エンド蓋40は、転動不可のように、ハンドルグリップ20の外側に、固定される。
【００２３】
図６乃至８を参照しながら、本考案の第２の実施例は、第１の実施例とほぼ同じであり、第１の実施例のハンドルグリップ20の各突出22の径方向の内側壁221上にある凹槽222の代わりに、本実施例において、径方向の貫通状の欠け口223を利用し、また、該エンド蓋40の薄肉部の係止シート42を、突出22とやや同じ厚さに増大するのが、異なり、これにより、これらの係止シート42が、それぞれ、各対応する突出22上の欠け口223に嵌設されて定位され、また、外側係止面421が、対応するリング30の欠け口33の底壁面に抵当し、内側係止面422が、欠け口33の開口を通して、対応するハンドルパイプ10の外周壁11に抵当するようになり、リング30のネジ31が螺着されると、これらの係止シート42は、それぞれ、外側リング30と内側ハンドルパイプ10の外周壁11との間に固定されて、エンド蓋40が、固定される。
【００２４】
図９と１０を参照しながら、本考案の第３の実施例は、第２の実施例とほぼ同じであり、第２の実施例のハンドルグリップ20の各突出22の長さを少し短くして、また、該エンド蓋40の係止シート42の幅を、リング30の対応する各欠け口33と同じように増大するのが、異なり、これにより、ハンドルグリップ20の各突出22が、リング30の対応する各欠け口33に嵌入した後、該欠け口33の外側に、所定の大きさを有する空間を形成し、該空間に、エンド蓋40の係止シート42が嵌設され、また、対応する各突出22と互いに抵接でき、この時、該係止シート42の外側係止面421が、対応するリング30の欠け口33の底壁面に当接し、また、内側係止面422が、対応するハンドルパイプ10の外周壁11に当接するため、リング30のネジ31が螺着されると、これらの係止シート42は、それぞれ、外側リング30と内側ハンドルパイプ10の外周壁11との間に固定されて、エンド蓋40が、固定される。
【００２５】
図１１乃至１３を参照しながら、本考案の第４の実施例は、第１の実施例とほぼ同じであり、第１の実施例のリング30の内周壁32の軸方向に貫通する対称するように設置された欠け口33の代わりに、本実施例において、内周壁32の外側において、貫通しないように設置し、また該エンド蓋40の各係止シート42が、欠け口33とほぼ同じな幅と厚さを有するのが、異なり、これにより、各係止シート42は、それぞれ、対応する各欠け口33に嵌置され、また、外側リング30と内側ハンドルパイプ10の外周壁11との間に固定されるようになり、上記の構造により、エンド蓋40とリング30との組立が、独自に行うことができ、ハンドルグリップ20とリング30との組立と係わらず、その目的を達成するため、本実施例において、ハンドルグリップ20のリング状である外側壁21に、二つの円周方向に沿って延ばす円弧状突出22を形成し、ここで、該円弧状突出22と内孔壁23との間に、第１の径方向幅Sを間置きしていることを注意しなければならなく、また、該リング30の対向側のC形状端面35上に、二つの円周方向に沿って延ばす円弧状凹槽34が設けられ、また、内周面32との間に、ハンドルグリップ20の第１の径方向幅Sとほぼ同じである第２の径方向幅ｄを間置き、そのため、該リング30の該円弧状凹槽34に、該ハンドルグリップ20の円弧状突出22が収納されるように嵌設され、これにより、組立が終了する。
【００２６】
図１４を参照しながら、本考案の第５の実施例は、第１の実施例とほぼ同じであり、第１の実施例のハンドルグリップ20の各突出22の径方向の内側壁221上にある凹槽222を、径方向の外側壁224に形成し、また、該エンド蓋40の二つの対称する係止シート42の距離を少し大きくするのが、異なり、これにより、外側係止面421が、対応するリング30の欠け口33の底壁面に抵当し、内側係止面422が、対応するハンドルグリップ20の各突出22の凹槽222の槽底面に抵当することにより、該係止シート42が、外側リング30とハンドルグリップ20との間に固定される。
【００２７】
図１５を参照しながら、本考案の第６の実施例は、第３の実施例とほぼ同じであり、第３の実施例のリング30の二つの欠け口33の外側に、C形状の欠け口331を形成し、また、第３の実施例のエンド蓋40の二つの係止シート42の一側に、C形状の係止シート42を形成することにより、係止シート42が、該C形状である欠け口331内に嵌設されて定位され、また、係止シート42の外側係止面421が、対応するリング30の欠け口33の底壁面に抵当し、内側係止面422が、対応するハンドルパイプ10の外周壁11に抵当するため、該係止シート42が、外側リング30とハンドルパイプ10の外周壁11との間に固定され、また、上記の他の実施例のエンド蓋40も、単一の係止シート42の形態に適用でき、二つの対称する係止シート42によって制限されず、該係止シート42が、該リング30やハンドルグリップ20或いはハンドルパイプ10の任意の両者の間に固定されることができれば、リング30が締まられる時、ほぼ所定の固定効果が得られ、実用上、二つの対称する係止シート42を利用するのは、良い固定効果が得られ、より好ましい。
【００２８】
図１６は、本考案の第７の実施例のエンド蓋の構造であり、第６の実施例のC形状の単一の係止シート42を、リング状に変更しても良く、即ち、該単一の係止シート42が、リング30の外側に設置された対応する欠け口331と、互いに嵌設して定位できれば良い。
【００２９】
図１７は、本考案の第８の実施例のエンド蓋構造であり、その係止シート42が、上記の任意の実施例の物でも良いし、主として、該エンド蓋壁41の周囲に、更に内側へ延ばす一体的な周壁43があり、該周壁43の内径の大きさが、ほぼリング30の外径に等しいため、該エンド蓋40は、係止シート42によりリング30やハンドルグリップ20或いはハンドルパイプ10の外周壁の任意の両者の間に固定される時、該周壁43によりリング30が隠れられ、全体として、より簡素的且つ美観的になり、また、該エンド蓋40の周壁43において、適当な箇所に更に、開口431が形成され、エンド蓋40が組み立てられた後、ツールをその開口431を通して、リング30上のネジ31の弛めるか締めるかができ、エンド蓋40の組立と取り外しがより便利になる。
【００３０】
以上の説明から分かるように、本考案によれば、次の特徴と効果がある。
1、本考案のエンド蓋40の係止シート42が、リング30とハンドルパイプ10との間やリング30とハンドルグリップ20との間或いはハンドルグリップ20とハンドルパイプ10との間に固定されても、リング30とハンドルパイプ10の外周壁11との摩擦接触することに妨害しないため、該リング30が、完全にハンドルパイプ10に接触して固定され、或いは、一部が係止シート42により、ハンドルパイプ10に接触して固定されるため、従来の構造と比較すると、より良い固定効果が得られ、リング30の幅を増加しなくても済むから、材料の無駄を無くし、重量と体積も増やすことがないため、小型化と美観造型に有利である。
2、本考案のエンド蓋40の係止シート42は、嵌設によりリング30とハンドルグリップ20及びハンドルパイプ10の任意の両者の間に定位されるため、快速的に組み立てられるだけでなく、円周方向の転動制限により、エンド蓋40の外壁面412にある、方向性のある図柄や文字が、正確な方位で表示され、より良い視覚効果が得られる。
3、本考案の第４の実施例のハンドルグリップ20とリング30は、両者が、独立的に組み立てられる特性を有するため、該ハンドルグリップ20の円弧状突出22とリング30の円弧状凹槽34との間に組み立てられても、リング30の内周壁32とハンドルパイプ10の外周壁11との摩擦接触を妨害しないため、リング30とハンドルパイプ10との間に、緊密な固定効果が得られ、ハンドルグリップ20が確実に組み立てられる。
4、本考案のエンド蓋40は、周壁43によりリング30が隠れられ、全体として、より簡素化且つより良い美観造型が得られる。
【図面の簡単な説明】
【００３１】
【図１】従来のエンド蓋の固定構造の立体分解図
【図２】本考案の第１の実施例のエンド蓋の固定構造の立体分解図
【図３】本考案の第１の実施例の外観組立て図
【図４】本考案の第１の実施例の側面断面図
【図５】本考案の第１の実施例のもう一つの側面断面図
【図６】本考案の第２の実施例のエンド蓋の固定構造の立体分解図
【図７】本考案の第２の実施例の側面断面図
【図８】本考案の第２の実施例のもう一つの側面断面図
【図９】本考案の第３の実施例のエンド蓋の固定構造の立体分解図
【図１０】本考案の第３の実施例の一部の立体分解図
【図１１】本考案の第４の実施例のエンド蓋の固定構造の立体分解図
【図１２】本考案の第４の実施例の側面断面図
【図１３】本考案の第４の実施例のハンドルグリップとリングの側面断面分解図
【図１４】本考案の第５の実施例のエンド蓋の固定構造の立体分解図
【図１５】本考案の第６の実施例のエンド蓋の固定構造の立体分解図
【図１６】本考案の第７の実施例のエンド蓋とリングの立体分解図
【図１７】本考案の第８の実施例のエンド蓋とリングの立体分解図
【符号の説明】
【００３２】
従来
1      ハンドルグリップ
1a     突出
2      リング
2a     凹槽
2b     リング状の溝
3      エンド蓋
3a     突出部
3b     リング状の突出
本考案
10      ハンドルパイプ
11      外周壁
20      ハンドルグリップ
21      外側壁
22      突出
221     径方向の内側壁
222     凹槽
223     欠け口
224     径方向の外側壁
23      内孔壁
30      リング
31      ネジ
32      内周壁
33      欠け口
331     欠け口
34      凹槽
35      C形状端面
40      エンド蓋
41      エンド蓋壁
411     内壁面
412     外壁面
42      係止シート
421     外側係止面
422     内側係止面
43      周壁
431     開口
【図１】
0003135678.tif 000003
【図２】
0003135678.tif 000004
【図３】
0003135678.tif 000005
【図４】
0003135678.tif 000006
【図５】
0003135678.tif 000007
【図６】
0003135678.tif 000008
【図７】
0003135678.tif 000009
【図８】
0003135678.tif 000010
【図９】
0003135678.tif 000011
【図１０】
0003135678.tif 000012
【図１１】
0003135678.tif 000013
【図１２】
0003135678.tif 000014
【図１３】
0003135678.tif 000015
【図１４】
0003135678.tif 000016
【図１５】
0003135678.tif 000017
【図１６】
0003135678.tif 000018
【図１７】
0003135678.tif 000019
【手続補正書】
【提出日】平成19年7月6日(2007.7.6)
【手続補正１】
【補正対象書類名】実用新案登録請求の範囲
【補正対象項目名】請求項７
【補正方法】変更
【補正の内容】
【請求項７】
ハンドルパイプと、
該ハンドルパイプに嵌設されるハンドルグリップと、
該ハンドルグリップの外側を緊密にハンドルパイプに螺着するＣ文字状リングと、
内壁面と外壁面を有する蓋壁があり、該内壁面において、所定の箇所に、少なくとも一つの係止シートが突出し、該係止シートに、外側係止面と内側係止面が形成され、該係止シートが、リングとハンドルパイプの外周壁との間に位置する時、その外側係止面と内側係止面とが、それぞれ、外側リングと内側ハンドルパイプの外周壁によって係止されて固定されるエンド蓋とが含有される、ことを特徴とする自転車ハンドル固定構造。